(57)【要約】【課題】ランナーの摺動性に優れ、強度が高く、人体や環境保全に考慮したカーテン支持具の提供を課題とする。【解決手段】カーテンレール２と、取付壁面に対して取付けられカーテンレール２を支持する一対のブラケット３と、カーテンレール２に摺動可能に取付けられカーテンを着脱可能に吊り下げるランナー４とを備え、カーテンレール２、ブラケット３、及びランナー４は、竹を原材料とする集成材から成る構成とする。また、カーテンレール２の両端部に、竹を原材料とする集成材から成る一対の装飾部材５を備える構成とする。【選択図】    図２
0003105891.tif 000002
【実用新案登録請求の範囲】
【請求項１】
カーテンレールと、
取付壁面に対して取付けられ、前記カーテンレールを支持する一対のブラケットと、
前記カーテンレールに摺動可能に取付けられ、カーテンを着脱可能に吊り下げるランナーと
を備え、
前記カーテンレールは、少なくとも前記ランナーと接する部分が竹を原材料とする集成材から成る
ことを特徴とするカーテン支持具。
【請求項２】
前記カーテンレールは、丸棒状を呈する
ことを特徴とする請求項１に記載のカーテン支持具。
【請求項３】
前記カーテンレールの端部が挿入される挿入孔を有し、前記カーテンレールの端部に取付けられる一対の装飾部材を備え、
前記挿入孔は、挿入される軸方向に対して、入り口付近が前記カーテンレールの直径よりも広く、奥側が前記カーテンレールの直径よりも狭くなるようテーパが設けられている
ことを特徴とする請求項２に記載のカーテン支持具。
【請求項４】
前記ランナーは、竹を原材料とする集成材から成る
ことを特徴とする請求項１乃至請求項３のいずれか一つに記載のカーテン支持具。
【請求項５】
前記ブラケットは、竹を原材料とする集成材から成る
ことを特徴とする請求項１乃至請求項４のいずれか一つに記載のカーテン支持具。
【考案の詳細な説明】
【技術分野】
【０００１】
本考案は、カーテン支持具に関するものであり、特に、強度やランナーの摺動性に優れたカーテン支持具に関するものである。
【背景技術】
【０００２】
従来より、レール本体が見えるように設置される装飾レールとして、木製のカーテンレールが広く知られている。木材を使用することにより、フローリングや木製ドアなどが配備される洋風のリビングにおいて、調度品の調和を損なわないという利点があるほか、人体に対する癒しの効果なども注目されている。
【０００３】
このような木製の装飾レールや、レールに付随するランナー、レールを支持するブラケットにおいては、その材質としてヒノキなどの天然木から削り出した無垢材が使用される。特に、レールやランナーにはカーテンを円滑に開閉するための摺動性が要求されるため、表面に塗装が施されるか、または木目印刷を施した合成樹脂製シート材が貼着されるなどの工夫がなされている。
【０００４】
以上の従来技術は、当業者において当然として行われているものであり、出願人は、この従来技術が記載された文献を知見していない。
【考案の開示】
【考案が解決しようとする課題】
【０００５】
しかし、このような塗装が施されたカーテン支持具においては、塗装に熟練を要するためコストが高く、また、長時間使用すると劣化してランナーの摺動性を損なうこと、塗料に含まれる化学物質（ベンゼンやトルエンなど）が人体に悪影響を与えるなどの問題があった。また、カーテン布の重量は４ｋｇに達することもあり、これに加えてカーテンの開閉に伴う引張り力も加わるため、カーテンレールにはこれらに耐えうる十分な強度が要求されるが、自然樹を利用するため経時劣化は避けがたく、また湿度に応じて膨張・伸縮が起き、反りや曲がりを生じるため、長時間使用した場合の強度に問題があった。また、一般的に、カーテンレールには２ｍ程度以上の長さが要求されるが、このような長さの無垢材には木の節目が含まれることが多く、節に起因する歪みにより強度が低下する恐れもあった。一方、ヒノキなどの木材は、木材として使用できる程度に成長するまでに数十年を要することから、木材伐採による森林資源の枯渇、環境破壊などの問題も提起されていた。
【０００６】
そこで、本考案は、上記の実状に鑑み、ランナーの摺動性に優れ、強度が高く、人体や環境保全に考慮したカーテン支持具を提供することを課題とする。
【課題を解決するための手段】
【０００７】
本考案にかかるカーテン支持具は、「カーテンレールと、取付壁面に対して取付けられ前記カーテンレールを支持する一対のブラケットと、前記カーテンレールに摺動可能に取付けられカーテンを着脱可能に吊り下げるランナーとを備え、前記カーテンレールは、少なくとも前記ランナーと接する部分が竹を原材料とする集成材から成る」ものである。
【０００８】
本考案のカーテン支持具によれば、カーテンレールは、少なくともランナーと接する部分が竹を原材料とする集成材から成る構成のため、竹の特徴である表面の滑らかさにより、摺動性の高い表面部位を持つことができ、表面に塗装が施されたり、合成樹脂製シート材が貼着される必要が無くなる。また、竹は高い堅牢性と耐久性、低伸縮性を有することから、湿度による反りや変形からも開放され、しかも、集成材であることから、木材の節に起因する歪みからも開放される。
【０００９】
ところで、本考案のカーテン支持具において、「前記カーテンレールは、丸棒状を呈する」ものとすることができる。
【００１０】
本考案のカーテン支持具によれば、カーテンレールが丸棒状を呈することにより、カーテンレールとランナーとの接触面積を最小に抑え、より滑らかにランナーを摺動することができる。また、カーテンレールとランナーとの接触点が、カーテンの開閉に伴い、丸棒状の断面円の円周方向で絶えず変動するため、接触点での負荷が分散され、摩擦によるカーテンレールまたはランナーの劣化を低減することも可能となる。
【００１１】
ところで、本考案のカーテン支持具において、「前記カーテンレールの端部が挿入される挿入孔を有し、前記カーテンレールの端部に取付けられる一対の装飾部材を備え、前記挿入孔は、挿入される軸方向に対して、入り口付近が前記カーテンレールの直径よりも広く、奥側が前記カーテンレールの直径よりも狭くなるようテーパが設けられている」ものとすることができる。
【００１２】
本考案のカーテン支持具によれば、カーテンレールの端部に一対の装飾部材が備えられることで、より意匠性の高いカーテン支持具を得る構成に加え、装飾部材に設けられた挿入孔は、挿入される軸方向に対して入り口付近がカーテンレールの直径より広く、奥側がカーテンレールの直径より狭くなるようテーパが設けられている構成となっている。従って、装飾部材に設けられた挿入孔にカーテンレールの端部を挿入し、装飾部材をねじ込むことで、挿入孔の奥側にまでカーテンレールの端部が侵入し、奥側の直径はカーテンレールの直径よりも狭いため、カーテンレールの端部の外周は挿入孔の内周に押し付けられ、装飾部材は、この押し付けられた摩擦力によってカーテンレールに支持される。このため、カーテンレールや装飾部材にネジ孔や雄螺子部材を取付けることなく、簡単な構成にて取付けることが可能となる。また、雄螺子部がないことにより、雄螺子部をねじ込んだ際の摩擦により木材を傷つける恐れもないため、より耐久性に優れたカーテン支持具を提供できる。さらに、簡単に取付けができることにより、取付けに必要とされる労力も軽減される。
【００１３】
ところで、本考案のカーテン支持具において、「前記ランナーは、竹を原材料とする集成材から成る」ものとすることができる。
【００１４】
本考案のカーテン支持具によれば、カーテンレールは、少なくともランナーと接する部分が竹を原材料とする集成材から成る構成に加え、ランナー自体も竹を原材料とする集成材から構成されるため、より摺動性を高め、滑らかで軽いカーテンの開閉動作を実現できる。
【００１５】
ところで、本考案のカーテン支持具において、「前記ブラケットは、竹を原材料とする集成材から成る」ものとすることができる。
【００１６】
本考案のカーテン支持具によれば、ブラケットは、竹を原材料とする集成材から成る構成であるため、竹の特徴である表面の滑らかさにより、カーテンレールを着脱する際の摩擦力が低く、着脱に要する労力を軽減することができる。また、カーテン布の重量やカーテン開閉動作に伴う引張り力は、カーテンレールだけではなくブラケットにも加重されることになるが、係る加重に対して十分な強度を有することができるばかりではなく、より経時劣化や反り・変形が少なく、長時間の使用に耐えうるカーテン支持具を提供できる。
【考案の効果】
【００１７】
このように、本考案のカーテン支持具によれば、ランナー摺動性能の高いカーテン支持具を実現できる。また、高い摺動性能を有することにより、カーテンレールの表面を塗装しない構成をとることも可能であるが、その場合においては、塗料を使用しないため、人体の健康に悪影響を与えない安全なカーテン支持具が実現できる。さらに、竹を使用することにより、抗菌・抗カビ作用、脱臭・消臭作用などの良い影響を得ることもできる。また、竹は高い堅牢性、耐久性、及び低伸縮性を有することから、湿度による反りや変形からも開放され、かつ集成材であることにより、木の節目に起因する歪みも持たないため、長時間の使用においても高い強度を保つことができる。さらに、竹の生育は早く、２〜３年で木材として使用できる程度に成長するため、森林伐採による環境破壊にも荷担することなく、環境保全に考慮したカーテン支持具を提供できる。
【考案を実施するための最良の形態】
【００１８】
以下、本考案の一実施形態であるカーテン支持具について、図１乃至図５に基づき説明する。図１は本考案のカーテン支持具の使用状態を示す正面図である。図２はカーテン支持具の構成を示す斜視図である。図３は、装飾部材をカーテンレールに装着した状態での端面図であり、図４はカーテンレールの断面図である。図５は、装飾部材の装着方法を示す図である。図１及び図２に示すように、カーテン支持具１は、カーテンレール２、ブラケット３、ランナー４、及び装飾部材５から構成される。
【００１９】
各部材について具体的に説明する。図１、図２に示すように、ブラケット３は、カーテンレール２を、窓の上方に位置する室内の壁面または天井（以下、「取付壁面」と称す）に対して支持させるためのものであり、湾曲した支持側部６と平坦な掛止部７とを有するブロック体形状の取付部８、取付部８の支持側部６から突出した略円柱状の支柱部９、及びカーテンレール２を支持するためのＵ字型の受部１０を備えている。掛止部７には、取付壁面に掛止するための掛止金具（図示しない）が装着されている。カーテンレール２には、ネジ孔が穿設され、また、受部１０は透孔を有し、受部１０にカーテンレール２をはめ込んだ状態で、このネジ孔と透孔の位置を揃え、木ネジなどの取付ネジ（図示しない）をねじ込みカーテンレール２とブラケット３とを連結する構成になっている。支柱部９は、取付壁面とカーテンレール２との間隔を適度に保つためのものであり、一端に受部１０が、他端に取付部８の支持側部６が連結されている。
【００２０】
ここで、ブラケット３の取付部８、支柱部９、及び受部１０は連結される構成としたが、これに限定されるものではなく、一体形成にて作製される構成としてもよい。
【００２１】
カーテンレール２は、ランナー４を摺動させ、カーテンＫを支持するための丸棒状の部材である。
【００２２】
ランナー４は、ドーナツ状の部材であり、外周の下端部にカーテンフック１１を有し、カーテンレール２に挿入された状態でカーテンフック１１にカーテンＫを掛止し、吊り下げる。
【００２３】
装飾部材５は、図３に示すように、球状の頭部１２と、挿入孔１３が穿設された円筒状の連結部１４とから構成される。挿入孔１３は、カーテンレール２の断面形状（ここでは円形）と略等しい形状であり、入り口側１３ａがカーテンレール２の直径Ｒより広く、奥側１３ｂが直径Ｒより狭いというテーパ１５が設けられた構成になっている。
【００２４】
上記カーテンレール２、ブラケット３、ランナー４、及び装飾部材５は、竹を原材料とする集成材Ｔ（以下、「竹集成材Ｔ」と称す）から構成され、さらに、表面はやすりなどで滑らかに仕上げられている。特に、カーテンレール２は、図４に示すように、横断面に、竹集成材Ｔの積層面Ｍが現れるように削り出されている。
【００２５】
次に、竹集成材Ｔの製造方法について説明する。まず、孟宗竹を切断し、任意の分割数で分割する。分割された竹は、縦・横の湾曲した側面を切り落とされ、例えば幅が３ｍ、長さが１ｍ、厚みが３〜４ｍｍの竹片として取り出される。
【００２６】
次に、竹片を沸騰した湯の中に投入し、６時間程度煮沸する。これにより、竹の繊維が加工しやすい柔らかさになり、かつ、竹繊維中または表面に付着した害虫や細菌が死滅し、殺菌される。
【００２７】
そして、上記で得られた竹片を、任意の枚数積層させる。竹片と竹片との間には、エポキシ樹脂などが塗布され、接着される。エポキシ樹脂とは、揮発性有機化合物（ＶＯＣ）の発散が少なく、すなわちシックハウス症候群などの人体に悪影響を与える原因となる化学物質をほとんど発散しない。このため人体に安全である。また、この接着剤を用いれば、耐熱、耐水、耐薬品、耐候性が優れていることにより、長時間使用した場合にも強度が確保された建材を提供できる。
【００２８】
さらに、積層された竹片積層体を、プレス機などで圧縮し、竹片同士をより強固に圧着させ、乾燥させる。こうして、竹集成材Ｔが完成する。竹集成材Ｔは、薄い竹片を何層も積層させることにより形成されるため、竹集成材Ｔから削りだされた建材（例えば、本考案のカーテンレール２）の表面には竹の積層面Ｍが現れ、自然な木の質感が醸し出されている。また、竹はその表面が極めて滑らかであることにより、竹集成材Ｔより削り出された建材は非常に滑らかな表面部位を持つ。
【００２９】
次に、本例のカーテン支持具１の使用方法について説明する。まず、取付壁面に、被掛止金具（図示しない）を取り付ける。被掛止金具は、カーテンレール２の長さに応じて、カーテンレール２の両端部付近に位置する壁面に取り付けられる。ここで、被掛止金具とは、特に限定されるものではないが、例えばネジ孔を有するコ字金具などが挙げられる。次に、ブラケット３の取付部８に取り付けられた掛止金具を、取付壁面に取り付けられた被掛止金具に掛合させ、ブラケット３を取付壁面に支持させる。
【００３０】
次に、カーテンレール２に、ランナー４を挿入する。ランナー４は、例えば２．１ｍ幅のカーテンＫにおいては２２個、３．１ｍ幅のカーテンＫにおいては３２個挿入する。
【００３１】
そして、一対のブラケット３の受部１０に、カーテンレール２の端部をそれぞれ差込み、カーテンレール２に穿設されたネジ孔と、ブラケット３の受部１０が有する透孔との位置をあわせ、木ネジなどの取付ネジをねじ込む。これにより、カーテンレール２は、ブラケット３に連結され、取付壁面に対して支持される構成となる。
【００３２】
次に、カーテンフック１１に、カーテンＫを掛止し取り付ける。使用者によってカーテンＫの開閉動作が為されると、カーテンＫの動く方向に応じて、カーテンフック１１が引っ張られ、カーテンフック１１に連結されたランナー４は、カーテンレール２の軸方向上を滑らかに移動する。
【００３３】
そして、装飾部材５を、カーテンレール２の両端部に取り付ける。図５に示すように、カーテンレール２の端部を挿入孔１３に挿入し、Ｂの方向に回転させながらＡの方向にねじ込む。図３に示すように、挿入孔１３は、入り口側１３ａがカーテンレール２の直径Ｒより広く、奥側１３ｂが直径Ｒより狭い構成になっているため、カーテンレール２の端部の外周は挿入孔１３の内周に押し付けられ、装飾部材５は、この圧接力によってカーテンレール２に支持される。
【００３４】
このように、本実施の形態によると、カーテンレール２を竹集成材Ｔから構成することにより、ランナー摺動性能の高いカーテン支持具１を実現できる。また、竹が原材料であるため、高い堅牢性、耐久性、及び低伸縮性を有することから、湿度による反りや変形からも開放されるばかりではなく、集成材であることにより、木の節目に起因する歪みも持たないため、長時間の使用においても高い強度を保つことができる。また、カーテンレール２の軸方向に対して、竹集成材Ｔの竹片積層面が略垂直となるように（カーテンレール２の横断面に、竹集成材Ｔの積層面Ｍが見えるように）カーテンレール２を削り出すことによって、重量物であるカーテンＫの重量が、接着剤で接合された竹集成材Ｔの積層面Ｍに対して垂直に（積層面Ｍをれき断しない方向に）加重されるため、より高い強度を保つことが可能となっている。さらに、高い摺動性能を有することにより、カーテンレール２の表面を塗装しない構成をとることも可能であるが、その場合においては、塗料を使用しないため、人体の健康に悪影響を与えない安全なカーテン支持具１が実現できる。また、竹を使用することにより、抗菌・抗カビ作用、脱臭・消臭作用などの人体に有益な影響を得ることもできる。さらに、竹の生育は早く、２〜３年で成木に成長するため、森林伐採による環境破壊にも加担することなく、環境保全に考慮したカーテン支持具１を提供できる。
【００３５】
また、上記のカーテン支持具１によれば、カーテンレール２が丸棒状であるため、カーテンレール２とランナー４との接触面積を最小に抑えられることで摩擦力が低減し、より滑らかにランナー４を摺動することができる。また、カーテンレール２とランナー４との接触点が、カーテンＫの開閉動作に伴い、丸棒状の断面円の円周方向（図４のＰ、Ｐ´）で絶えず変動するため、接触点での負荷が分散され、摩擦によるカーテンレール２またはランナー４の劣化を低減することも可能となる。
【００３６】
また、上記のカーテン支持具１によれば、カーテンレール２の端部に一対の装飾部材５が備えられることで、より意匠性の高いカーテン支持具１を得る構成に加え、装飾部材５にテーパ１５を有する挿入孔１３を穿設することにより、カーテンレール２や装飾部材５にネジ孔や雄螺子部材を取付けることなく、簡単な構成にてカーテン支持具１を取付壁面に取付けることが可能となる。また、雄螺子部がないことにより、雄螺子部をねじ込んだ際の摩擦により木材を傷つける恐れもないため、より耐久性に優れたカーテン支持具１を提供できる。さらに、簡単に取付けができることにより、取付けに必要とされる労力も軽減される。
【００３７】
また、上記のカーテン支持具１によれば、カーテンレール２の少なくともランナー４と接する部分が竹集成材Ｔから成る構成に加え、ランナー４も竹集成材Ｔから構成されるため、より一層摺動性能を高め、滑らかで軽いカーテンＫの開閉動作を実現できる。
【００３８】
また、上記のカーテン支持具１によれば、上記の構成に加え、さらにブラケット３を竹集成材Ｔから構成することにより、竹の特徴である表面の滑らかさにより、カーテンレール２を着脱する際の摩擦力が低く、着脱に要する労力を軽減することができる。また、カーテン布の重量やカーテン開閉動作に伴う引張り力は、カーテンレール２だけではなくブラケット３にも加重されることになるが、係る加重に対して十分な強度を有することができるばかりではなく、より経時劣化や反り・変形が少なく、長時間の使用に耐えうるカーテン支持具１を提供できる。
【００３９】
以上、本考案を実施するための最良の実施の形態を挙げて説明したが、本考案はこの実施の形態に限定されるものではなく、以下に示すように本考案の趣旨を逸脱しない範囲において、種々の改良および設計の変更が可能である。
【００４０】
すなわち、上記の実施の形態では、カーテンレール２は丸棒状である構成としたが、これに限定されるものではなく、角柱形状や五角形などの多角形の柱状体であってもよい。ただし、上記の実施形態のように、断面を円形とすることにより、エッジがなくなるため、カーテンレール２とランナー４との接触点を可変とすることができ、摩擦によるカーテンレール２またはランナー４の劣化を低減することが可能である。
【００４１】
また、上記実施形態では、カーテンレール２とランナー４は、棒状のカーテンレール２に環状のランナー４を挿入する装飾レールとしたが、例えば、中空のカーテンレールと、この中空内を転動またはスライドする形式のランナーとを有する機能レールとしてもよい。
【００４２】
また、上記の実施形態では、ブラケット３の受部１０の構成は、ブラケット３の受部１０にカーテンレール２の端部をそれぞれ差込み、受部１０に設けられたネジ孔に取付ネジをねじ込むことで、カーテンレール２をブラケット３に連結させる構成としたが、これに限定されるものではなく、カーテンレール２をブラケット３に連結させる構成であればどのようなものであってもよい。例えば、受部１０にネジ孔を穿設し、カーテンレール２の端部にネジ部を設けることで、このネジ孔とネジ部をはめ込みカーテンレール２をブラケット３に連結させる構成としてもよい。さらに、ブラケット３の取付部８は、掛止金具によって取付壁面に取り付ける構成としたが、これに限定されるものではなく、例えば取付部８に透孔を穿設し、木ネジなどの取付ネジをねじ込むことで、ブラケット３を取付壁面に固定する構成としてもよい。しかし、上記の構成によれば、簡単な構成にてカーテン支持具１を取付壁面に設置することができるため、設置に必要とされる作業者の労力を軽減できるという効果がある。
【００４３】
また、上記の実施形態では、ブラケット３とランナー４とは竹集成材Ｔより成る構成としたが、例えば、無垢材や、ＦＲＰなどのプラスチックよりなる構成としてもよい。
【００４４】
また、上記実施形態では、カーテンレール２は、全体が竹集成材Ｔより削り出される構成としたが、これに限定されるものではなく、少なくともランナー４と接する部分が竹集成材Ｔからなる構成であればよく、例えば図４のＵに示すように、断面円周の上側半分のみ竹集成材Ｔよりなる構成であっても良い。また、カーテンレール２の表面は塗装しない構成としたが、人体に有害な化学物質を揮発させない塗料で塗装する構成とすることも可能である。塗装した場合においては、よりランナー４の摺動性能を高め、さらに円滑なカーテンＫの開閉動作を実現できる。
【００４５】
また、上記実施形態では、装飾部材５の連結部１４は、テーパ１５を有する挿入孔１３が穿設され、この挿入孔１３にカーテンレール２の端部を挿入し、ねじ込むことで、カーテンレール２に連結される構成としたが、これに限定されるものではなく、テーパ１５の無い挿入孔１３で構成しても良い。これによれば、連結部１４には透孔を穿設し、カーテンレール２を挿入孔１３に挿入した後、連結部１４の透孔にビスなどの雄螺子部材をねじ込むことで、装飾部材５をカーテンレール２に支持させる構成とすることができる。しかし、上記の構成によれば、装飾部材５を取り付ける際の労力を軽減でき、さらに、雄螺子部材がないことにより、雄螺子部をねじ込んだ際の摩擦により木材を傷つける恐れもないため、より耐久性に優れたカーテン支持具１を提供できる。
【図面の簡単な説明】
【００４６】
【図１】カーテン支持具の使用状態を示す正面図である。
【図２】カーテン支持具の構成を示す斜視図である。
【図３】装飾部材をカーテンレールに装着した状態での端面図である。
【図４】カーテンレールの断面図である。
【図５】装飾部材の装着方法を示す図である。
【符号の説明】
【００４７】
１  カーテン支持具
２  カーテンレール
３  ブラケット
４  ランナー
５  装飾部材
１５  テーパ
Ｔ  竹集成材
【図１】
0003105891.tif 000003
【図２】
0003105891.tif 000004
【図３】
0003105891.tif 000005
【図４】
0003105891.tif 000006
【図５】
0003105891.tif 000007